(57)【特許請求の範囲】
【請求項１】
端部から突出した形状の正極タブを有する正極、及び端部から突出した形状の負極タブを有する負極が互いに絶縁された状態で積層された電極組立体と、
前記電極組立体と電気を授受する正極端子及び負極端子と、
前記正極タブと前記正極端子とを電気的に接続する正極導電部材と、
前記負極タブと前記負極端子とを電気的に接続する負極導電部材と、を備える蓄電装置であって、
前記正極タブ及び前記負極タブは、
それぞれ積層された状態で折り曲げられた第１の折り曲げ部と、
前記第１の折り曲げ部よりも前記正極タブ又は前記負極タブの先端側に配置された第２の折り曲げ部と、
前記第１の折り曲げ部と前記第２の折り曲げ部との間に配置され、かつ前記電極組立体の積層方向に沿って延設された第１の延設部と、
前記第２の折り曲げ部と前記正極タブの先端又は前記負極タブの先端との間に配置され、かつ前記電極組立体の積層方向に沿って延設された第２の延設部とを有し、  
前記第１の延設部と前記第２の延設部と前記正極導電部材又は前記負極導電部材とが重なる状態に配置され、
前記第１の延設部と前記第２の延設部、及び前記正極導電部材又は前記負極導電部材とがそれぞれ接合されていることを特徴とする蓄電装置。
【請求項２】
前記正極タブ及び前記負極タブは、前記電極組立体の厚さ方向において最も外側になるいずれか一方の正極タブ及び負極タブが、他の正極タブ及び他の負極タブの前記第２の折り曲げ部より先端側の部分を覆う状態で、前記正極導電部材又は前記負極導電部材に接合されている請求項１に記載の蓄電装置。
【請求項３】
前記第２の延設部には、前記正極導電部材又は前記負極導電部材が配置される側とは反対側に、導電性を有する導電板が配置され、
前記正極導電部材又は前記負極導電部材と、前記第１の延設部と、前記第２の延設部と、前記導電板とがそれぞれ溶接されている請求項１又は請求項２に記載の蓄電装置。
【発明の詳細な説明】
【技術分野】
【０００１】
本発明は、蓄電装置に係り、詳しくはタブと導電部材との接合構造に特徴を有する蓄電装置に関する。
【背景技術】
【０００２】
二次電池やキャパシタのような蓄電装置は再充電が可能であり、繰り返し使用することができるため電源として広く利用されている。一般に、容量の大きな蓄電装置は電極組立体を収納するケースを備え、そのケース内に電極組立体が収納されている。そして、蓄電装置からの電力の取り出しは、電極組立体の正極及び負極に接続された電極端子を通して行われている。
【０００３】
電極組立体には、例えば、複数の正極と複数の負極との間にセパレータを介在させた状態で積層した積層型の電極組立体がある。正極及び負極は、それぞれタブと呼ばれる金属箔の部分を有し、複数枚のタブが導電部材（リード）を介して正極端子あるいは負極端子に積層された状態で溶接されている。
【０００４】
従来、集電タブ（電極タブ）に応力がかからず、小型化できる積層型リチウムイオン電池及びその製造方法提案されている（特許文献１参照）。特許文献１の製造方法では、図７（ａ）に示すように、正極電極５１及び負極電極５２がセパレータを介して積層された電極組立体５３の正極タブ５４を正極リード５５と溶接する場合、図７（ｂ）に示すように、電極組立体５３の正極タブ５４の反突出側を固定した状態で、電極組立体５３を正極タブ５４が上方向に延びる状態に９０度折り曲げる。そして、複数枚の正極タブ５４の一方の外側に正極リード５５を配置する。
【０００５】
この階段状となった正極タブ５４を、図７（ｃ）に示すように、正極リード５５と溶接ヘッド５６を用いて接続する。その後、図７（ｄ）に示すように湾曲させた電極組立体５３を平板状に戻す。次に正極タブ５４を、この状態に保ち、図７（ｅ）に示すように、正極リード５５を下側に折り曲げる。次いで図７（ｆ）に示すように、正極リード５５の先端を元に戻すようにして、平板状の電極組立体５３と平行となるようにし、正極タブ５４を電極組立体５３の端面に沿って曲げることにより、正極タブ５４に引っ張り応力がかからず、歪のない状態で電極組立体５３の組み立てを行う。負極タブと負極リードについても同様である。
【先行技術文献】
【特許文献】
【０００６】
【特許文献１】特開２００７−２３４４６６号公報
【発明の概要】
【発明が解決しようとする課題】
【０００７】
ところが、特許文献１の構成では、正極タブ５４は先端が一致する状態に重ねられ、その重ねられた部分が、Ｌ字状に折り曲げられた正極リード５５の基端側に溶接されている。正極リード５５は、基端側が電極組立体５３の正極タブ５４の突出側端面と平行に配置されている。そのため、電極組立体５３を電池のケースに収容した状態において、正極リード５５の基端側端面と電極組立体５３の端面との間に湾曲状態で存在する正極タブ５４の屈曲部分がケースの内壁に接触することを防止するには、屈曲部分の湾曲状態を小さくする必要があり、電極組立体５３の端面からの正極タブ５４の突出量が大きくなる。また、正極タブ５４を正極リード５５へ溶接した後、正極リード５５を折り曲げる必要がある。
【０００８】
本発明は、前記の問題に鑑みてなされたものであって、その目的は、電極組立体の端面からのタブの突出量を小さくすることができ、正極導電部材及び負極導電部材の折り曲げ加工を不要にすることができる蓄電装置を提供することにある。
【課題を解決するための手段】
【０００９】
上記課題を解決する蓄電装置は、端部から突出した形状の正極タブを有する正極、及び端部から突出した形状の負極タブを有する負極が互いに絶縁された状態で積層された電極組立体と、前記電極組立体と電気を授受する正極端子及び負極端子と、前記正極タブと前記正極端子とを電気的に接続する正極導電部材と、前記負極タブと前記負極端子とを電気的に接続する負極導電部材と、を備える蓄電装置である。そして、前記正極タブ及び前記負極タブは、それぞれ積層された状態で折り曲げられた第１の折り曲げ部と、前記第１の折り曲げ部よりも前記正極タブ又は前記負極タブの先端側に配置された第２の折り曲げ部と、前記第１の折り曲げ部と前記第２の折り曲げ部との間に配置され、かつ前記電極組立体の積層方向に沿って延設された第１の延設部と、前記第２の折り曲げ部と前記正極タブの先端又は前記負極タブの先端との間に配置され、かつ前記電極組立体の積層方向に沿って延設された第２の延設部とを有し、前記第１の延設部と前記第２の延設部と前記正極導電部材又は前記負極導電部材とが重なる状態に配置され、前記第１の延設部と前記第２の延設部、及び前記正極導電部材又は前記負極導電部材とがそれぞれ接合されている。
【００１０】
この構成によれば、正極導電部材及び負極導電部材との接触面積を十分に確保するために、正極タブや負極タブの長さを長くした場合でも、正極タブや負極タブの先端部が正極導電部材又は前記負極導電部材からはみ出てケースの内面と接触する虞がない。また、正極タブや負極タブを折り曲げる際に正極導電部材や負極導電部材を折り曲げる必要がない。したがって、電極組立体の端面からの正極タブや負極タブの突出量を小さくすることができ、正極導電部材及び負極導電部材の折り曲げ加工を不要にすることができる。
【００１１】
前記正極タブ及び前記負極タブは、前記電極組立体の厚さ方向において最も外側になるいずれか一方の正極タブ及び負極タブが、他の正極タブ及び他の負極タブの前記第２の折り曲げ部より先端側の部分を覆う状態で、前記正極導電部材又は前記負極導電部材に接合されていることが好ましい。この構成によれば、正極タブ及び負極タブが溶接される際に、重ねられた状態の正極タブ及び負極タブの枚数が少なくなり、溶接に必要なエネルギーが少なくなる。
【００１２】
前記第２の延設部には、前記正極導電部材又は前記負極導電部材が配置される側とは反対側に、導電性を有する導電板が配置され、前記正極導電部材又は前記負極導電部材と、前記第１の延設部と、前記第２の延設部と、前記導電板とがそれぞれ溶接されていることが好ましい。この構成によれば、導電板を用いずに、複数枚の正極タブ及び負極タブを、正極導電部材又は負極導電部材と溶接する場合に比べて、正極タブ及び負極タブが溶接用の電極等に直接押圧されることによって傷つく虞がない。
【発明の効果】
【００１３】
本発明によれば、電極組立体の端面からのタブの突出量を小さくすることができ、正極導電部材及び負極導電部材の折り曲げ加工を不要にすることができる。
【図面の簡単な説明】
【００１４】
【図１】二次電池の断面図。
【図２】（ａ）は電極組立体の正極、負極及びセパレータの関係を示す概略斜視図、（ｂ）、（ｃ）は部分拡大図。
【図３】二次電池の部分断面図。
【図４】溶接手順を示す部分断面図。
【図５】溶接手順を示す部分断面図。
【図６】別の実施形態を示す部分断面図。
【図７】（ａ）〜（ｆ）は従来技術の電極組立体の組立手順を示す側面図。
【発明を実施するための形態】
【００１５】
以下、本発明を積層型の電極組立体を備えた二次電池に具体化した一実施形態を図１〜図５にしたがって説明する。
図１に示すように、蓄電装置としての二次電池１０は、有底箱状のケース本体１１ａ及びその開口部を覆う蓋体１１ｂとで構成された四角箱状のケース１１内に、積層型の電極組立体１２及び電解液（図示せず）が収容されている。
【００１６】
図２（ａ），（ｂ），（ｃ）及び図３に示すように、電極組立体１２は、金属箔１３の両面に正極活物質層１４ａを有する複数の矩形シート状の正極１４と、金属箔１３の両面に負極活物質層１５ａを有する複数の矩形シート状の負極１５とが、両者の間にセパレータ１６が介在する状態で積層されている。
【００１７】
セパレータ１６は、正極１４と負極１５との間の電気的絶縁性を確保するため、正極タブ１４ｂ及び負極タブ１５ｂを除いた正極１４及び負極１５の矩形部より大きな矩形状に形成されている。二次電池１０がリチウムイオン二次電池の場合、正極１４用の金属箔１３はアルミニウム箔が好ましく、負極１５用の金属箔１３は銅箔が好ましい。
【００１８】
正極１４は、金属箔１３の一辺から延出された正極タブ１４ｂを有する。正極タブ１４ｂは、電極組立体１２の一端面（図１において上端面）の左側寄りとなる位置に突設されている。
【００１９】
負極１５は、金属箔１３の一辺から延出された負極タブ１５ｂを有する。負極１５の金属箔１３と、正極１４の金属箔１３とは同じ大きさに形成され、負極活物質層１５ａの面積は正極活物質層１４ａの面積より大きい。負極タブ１５ｂは、電極組立体１２の一端面（図１において上端面）の右側寄りとなる位置に突設されている。
【００２０】
図１に示すように、電極組立体１２はケース１１に収納された状態において、電極組立体１２と電気を授受する正極端子２１及び負極端子２２が蓋体１１ｂから突出する状態に形成されている。正極端子２１及び負極端子２２は、蓋体１１ｂに形成された孔１１ｃに取り付けられたリング状の絶縁部材２３を貫通する状態で設けられている。正極端子２１は正極導電部材２４を介して正極タブ１４ｂに電気的に接続され、負極端子２２は負極導電部材２５を介して負極タブ１５ｂに電気的に接続されている。なお、ケース本体１１ａの内面及び蓋体１１ｂの内面には、絶縁シート１１ｄが取着されている。
【００２１】
すなわち、二次電池１０は、端部から突出した形状の正極タブ１４ｂを有する正極１４、及び端部から突出した形状の負極タブ１５ｂを有する負極１５が互いに絶縁された状態で積層された電極組立体１２と、電極組立体１２と電気を授受する正極端子２１及び負極端子２２と、正極タブ１４ｂと正極端子２１とを電気的に接続する正極導電部材２４と、負極タブ１５ｂと負極端子２２とを電気的に接続する負極導電部材２５と、を備える蓄電装置である。
【００２２】
図３に示すように、正極タブ１４ｂは、積層された状態で折り曲げられた第１の折り曲げ部１７ａと、第１の折り曲げ部１７ａの先端側に配置された第２の折り曲げ部１７ｂと、第１の折り曲げ部１７ａと第２の折り曲げ部１７ｂとの間に配置され、かつ電極組立体１２の積層方向に沿って延設された第１の延設部１８ａと、第２の折り曲げ部１７ｂと正極タブ１４ｂの先端との間に配置され、かつ電極組立体１２の積層方向に沿って延設された第２の延設部１８ｂとを有する。そして、第１の延設部１８ａと第２の延設部１８ｂと正極導電部材２４とが重なる状態に配置され、第１の延設部１８ａと第２の延設部１８ｂ、及び正極導電部材２４とがそれぞれ接合されている。
【００２３】
また、この実施形態では、第２の延設部１８ｂには、正極導電部材２４が配置される側とは反対側に、導電性を有する導電板としての保護板２６が配置され、正極導電部材２４と、第１の延設部１８ａと、第２の延設部１８ｂと、保護板２６とがそれぞれ溶接されている。なお、正極タブ１４ｂの数は実際は数十枚程度であるが、便宜上５枚を図示して説明する。
【００２４】
負極タブ１５ｂも正極タブ１４ｂと同様に構成され、積層された状態で折り曲げられた第１の折り曲げ部と、第１の折り曲げ部の先端側に配置された第２の折り曲げ部と、第１の折り曲げ部と第２の折り曲げ部との間に配置され、かつ電極組立体１２の積層方向に沿って延設された第１の延設部と、第２の折り曲げ部と負極タブ１５ｂの先端との間に配置され、かつ電極組立体１２の積層方向に沿って延設された第２の延設部を有する。そして、第１の延設部と第２の延設部と負極導電部材２５とが重なる状態に配置され、第１の延設部と第２の延設部、及び負極導電部材２５とがそれぞれ接合されている。また、この実施形態では、負極タブ１５ｂの第２の延設部には、負極導電部材２５が配置される側とは反対側に、導電性を有する導電板としての保護板２６が配置され、負極導電部材２５と、第１の延設部と、第２の延設部と、保護板２６とがそれぞれ溶接されている。
【００２５】
次に前記の接合構造の形成手順の一例を説明する。
正極タブ１４ｂ、正極導電部材２４及び保護板２６を溶接する場合は、先ず、図４に示すように、正極タブ１４ｂは、全ての正極タブ１４ｂをタブ群の一端側（図４における右端側）に位置する正極タブ１４ｂ側に向かって集められる。正極タブ１４ｂは、同じ長さに形成されているため、各正極タブ１４ｂの先端の位置は一致せずに、先端部が順にずれた状態になる。
【００２６】
次に、正極タブ１４ｂの積層部の基端側に、積層部を折り曲げるための余裕を残した状態で正極導電部材２４を配置し、図示しない治具で正極タブ１４ｂ及び正極導電部材２４を支持する。
【００２７】
次に、正極導電部材２４から先端部がはみ出している正極タブ１４ｂの先端側を、正極活物質層１４ａ、及び負極活物質層１５ａを有する側に向かって（すなわち、図４の矢印方向に）折り曲げる。そして、図５に示すように、保護板２６を正極タブ１４ｂの積層部に重ねる。その結果、正極導電部材２４から先端部がはみ出していた正極タブ１４ｂは、先端部が保護板２６の内側に位置するように折り曲げられて、全ての正極タブ１４ｂの先端部が正極導電部材２４と保護板２６の間に配置された状態になる。この折り曲げられた部分は、第２の折り曲げ部１７ｂとなる。
【００２８】
次に、一対の抵抗溶接用電極２８により、正極導電部材２４、正極タブ１４ｂ及び保護板２６を挟持した状態で両抵抗溶接用電極２８間に電圧が印加され、正極導電部材２４、正極タブ１４ｂ及び保護板２６が抵抗溶接により溶接されて、図５に示すように溶接部２７で溶接された状態になる。
【００２９】
次に正極タブ１４ｂを正極導電部材２４及び保護板２６が電極組立体１２の端面と平行になるように、正極導電部材２４及び保護板２６に挟持されている箇所より基端側において折り曲げると、図３に示す状態になり、正極導電部材２４、正極タブ１４ｂ及び保護板２６の接合構造が完成する。このときに折り曲げられた部分が第１の折り曲げ部１７ａとなる。そのため、正極タブ１４ｂや負極タブ１５ｂを折り曲げる際に、正極導電部材２４や負極導電部材２５を折り曲げる必要がない。また、第１の折り曲げ部１７ａと第２の折り曲げ部１７ｂとの間に配置され、かつ電極組立体１２の積層方向に沿って延設された部分が第１の延設部１８ａとなり、第２の折り曲げ部１７ｂと正極タブ１４ｂの先端との間に配置され、かつ電極組立体１２の積層方向に沿って延設された部分が第２の延設部１８ｂとなる。
【００３０】
次に前記のように構成された二次電池１０の作用を説明する。
正極タブ１４ｂは、それぞれ積層された状態で折り曲げられた第１の折り曲げ部１７ａと、第１の折り曲げ部１７ａよりも正極タブ１４ｂの先端側に配置された第２の折り曲げ部１７ｂとを有する。正極タブ１４ｂは、第１の延設部１８ａと、第２の延設部１８ｂと、正極導電部材２４とが重なる状態に配置され、第１の延設部１８ａと第２の延設部１８ｂ、及び正極導電部材２４とがそれぞれ接合されている。したがって、正極導電部材２４との接触面積を十分に確保するために、正極タブ１４ｂの長さを長くした場合でも、正極タブ１４ｂの先端部が正極導電部材２４からはみ出てケース本体１１ａの内面と接触する虞がない。正極タブ１４ｂの長さは、二度折り曲げられた状態において、その先端が電極組立体１２の厚さ方向からはみ出さない長さであればよいため、設計の自由度が高くなる。負極タブ１５ｂも正極タブ１４ｂと同様の構成のため、同様の作用となる。
【００３１】
この実施形態によれば、以下に示す効果を得ることができる。
（１）二次電池１０は、端部から突出した形状の正極タブ１４ｂを有する正極１４、及び端部から突出した形状の負極タブ１５ｂを有する負極１５が互いに絶縁された状態で積層された電極組立体１２と、電極組立体１２と電気を授受する正極端子２１及び負極端子２２と、正極タブ１４ｂと正極端子２１とを電気的に接続する正極導電部材２４と、負極タブ１５ｂと負極端子２２とを電気的に接続する負極導電部材２５と、を備える蓄電装置である。そして、正極タブ１４ｂは、積層された状態で折り曲げられた第１の折り曲げ部１７ａと、第１の折り曲げ部１７ａよりも正極タブ１４ｂの先端側に配置された第２の折り曲げ部１７ｂと、第１の折り曲げ部１７ａと第２の折り曲げ部１７ｂとの間に配置され、かつ電極組立体１２の積層方向に沿って延設された第１の延設部１８ａと、第２の折り曲げ部１７ｂと正極タブ１４ｂの先端との間に配置され、かつ電極組立体１２の積層方向に沿って延設された第２の延設部１８ｂとを有する。第１の延設部１８ａと第２の延設部１８ｂと正極導電部材２４とが重なる状態に配置され、第１の延設部１８ａと第２の延設部１８ｂ、及び正極導電部材２４とがそれぞれ接合されている。負極タブ１５ｂも同様の構成である。したがって、電極組立体１２の端面からの正極タブ１４ｂ及び負極タブ１５ｂの突出量を小さくすることができ、正極導電部材２４及び負極導電部材２５の折り曲げ加工を不要にすることができる。また、正極タブ１４ｂ及び負極タブ１５ｂの長さの許容範囲が大きくなり、設計の自由度が高くなる。
【００３２】
（２）複数枚の正極タブ１４ｂ及び負極タブ１５ｂは、正極導電部材２４あるいは負極導電部材２５と、保護板２６に挟まれた状態で正極導電部材２４あるいは負極導電部材２５と保護板２６とに接合されている。したがって、保護板２６を用いずに、複数枚の正極タブ１４ｂ及び負極タブ１５ｂを、正極導電部材２４あるいは、負極導電部材２５と接合する場合に比べて、折り曲げられた状態の複数枚の正極タブ１４ｂ及び負極タブ１５ｂを抵抗溶接用電極２８で挟持することが容易になる。また、正極タブ１４ｂ及び負極タブ１５ｂが抵抗溶接用電極２８に直接押圧されることによって傷つく虞もない。
【００３３】
（３）第２の延設部１８ｂには、正極導電部材２４が配置される側とは反対側に、導電性を有する保護板（導電板）２６が配置され、正極導電部材２４と、第１の延設部１８ａと、第２の延設部１８ｂと、保護板２６とがそれぞれ溶接されている。負極タブ１５ｂも同様に、第２の延設部には、負極導電部材２５が配置される側とは反対側に、導電性を有する保護板（導電板）２６が配置され、負極導電部材２５と、第１の延設部と、第２の延設部と、保護板２６とがそれぞれ溶接されている。したがって、保護板２６を用いずに、複数枚の正極タブ１４ｂ及び負極タブ１５ｂを、正極導電部材２４又は、負極導電部材２５と溶接する場合に比べて、正極タブ１４ｂ及び負極タブ１５ｂが抵抗溶接用電極２８に直接押圧されることによって傷つく虞がない。
【００３４】
（４）正極タブ１４ｂの接合構造の場合、正極導電部材２４及び保護板２６は、正極タブ１４ｂと同じ材質であり、負極タブ１５ｂの接合構造の場合、負極導電部材２５及び保護板２６は、負極タブ１５ｂと同じ材質である。したがって、電食が防止される。
【００３５】
実施形態は前記に限定されるものではなく、例えば、次のように具体化してもよい。
○  正極タブ１４ｂ及び負極タブ１５ｂの第２の折り曲げ部１７ｂより先端側の第２の延設部１８ｂは、必ずしも全ての正極タブ１４ｂ及び負極タブ１５ｂにおいて、正極導電部材２４あるいは負極導電部材２５や保護板２６に溶接される必要はない。例えば、図６に示すように、正極タブ１４ｂ及び負極タブ１５ｂは、電極組立体１２の厚さ方向において最も外側になるいずれか一方の正極タブ１４ｂ及び負極タブ１５ｂが、他の正極タブ１４ｂ及び他の負極タブ１５ｂの第２の折り曲げ部１７ｂより先端側を覆う状態で、正極導電部材２４あるいは負極導電部材２５に溶接されていてもよい。この構成によれば、正極タブ１４ｂ及び負極タブ１５ｂが溶接される際に、重ねられた状態の正極タブ１４ｂ及び負極タブ１５ｂの枚数が少なくなり、溶接に必要なエネルギーが少なくなる。なお、図６は正極タブ１４ｂが正極導電部材２４及び保護板２６に溶接されている状態を示す。
【００３６】
○  正極タブ１４ｂ及び負極タブ１５ｂのうち、外側の数枚の正極タブ１４ｂ及び負極タブ１５ｂが、他の正極タブ１４ｂ及び他の負極タブ１５ｂの第２の折り曲げ部１７ｂより先端側を覆う状態で、正極導電部材２４あるいは負極導電部材２５に溶接されていてもよい。この場合も、正極タブ１４ｂ及び負極タブ１５ｂが溶接される際に、重ねられた状態の正極タブ１４ｂ及び負極タブ１５ｂの枚数が少なくなり、溶接に必要なエネルギーが少なくなる。
【００３７】
○  正極タブ１４ｂ及び負極タブ１５ｂは、正極導電部材２４あるいは負極導電部材２５に溶接される第２の折り曲げ部１７ｂより先端側の部分の枚数を少なくするため、各正極タブ１４ｂ及び各負極タブ１５ｂの長さが異なる構成としたり、正極タブ１４ｂ及び負極タブ１５ｂを複数のグループに分けて、グループ毎に異なる長さとしたりしてもよい。
【００３８】
○  保護板２６は必須ではなく、保護板２６を設けずに、複数の正極タブ１４ｂ及び負極タブ１５ｂが正極導電部材２４あるいは負極導電部材２５に溶接された構成であってもよい。しかし、保護板２６を設ける方が、正極タブ１４ｂ及び負極タブ１５ｂと正極導電部材２４あるいは負極導電部材２５とを溶接する際に、溶接作業が容易になる。
【００３９】
○  正極タブ１４ｂあるいは負極タブ１５ｂと溶接される正極導電部材２４あるいは負極導電部材２５及び保護板２６は、正極タブ１４ｂあるいは負極タブ１５ｂと異なる材質であってもよい。
【００４０】
○  電極組立体１２は積層型の電極組立体に限らず、帯状の正極及び負極がセパレータを間に挟んだ積層状態で巻回された巻回型の電極組立体であってもよい。
○  正極タブ１４ｂあるいは負極タブ１５ｂと、正極導電部材２４あるいは負極導電部材２５及び保護板との溶接は、抵抗溶接に限らず、他の溶接方法、例えば、超音波溶接であってもよい。
【００４１】
○  電極、即ち正極１４及び負極１５は、金属箔１３の少なくとも片面に活物質層を有していればよく、両面ではなく片面に活物質層を有する構成であってもよい。
○  正極タブ１４ｂあるいは負極タブ１５ｂを金属箔１３の一部を突設して形成する代わりに、金属箔１３にタブとなる金属箔を溶接して形成してもよい。
【００４２】
○  積層型の電極組立体１２において、正極１４及び負極１５の間にセパレータ１６が存在する構成として、シート状のセパレータ１６を使用せずに、例えば、正極１４及び負極１５の一方を袋状のセパレータに収容して、そのセパレータと袋状のセパレータに収容されていない電極とを交互に積層してもよい。
【００４３】
○  二次電池１０は電解液が必須ではなく、例えば、セパレータ１６が高分子電解質で形成されていてもよい。
○  二次電池１０は、リチウムイオン二次電池に限らず、ニッケル水素二次電池やニッケルカドミウム二次電池、マグネシウム二次電池等の他の二次電池であってもよい。
【００４４】
○  蓄電装置は、二次電池１０に限らず、例えば、電気二重層キャパシタやリチウムイオンキャパシタ等のようなキャパシタであってもよい。
以下の技術的思想（発明）は前記実施形態から把握できる。
【００４５】
（１）請求項１に記載の発明において、複数枚の前記正極タブ及び前記負極タブは、前記正極導電部材あるいは負極導電部材及び保護板に挟まれた状態で前記正極導電部材あるいは負極導電部材及び前記保護板に溶接されている。
【符号の説明】
【００４６】
１０…蓄電装置としての二次電池、１２…電極組立体、１４…正極、１４ｂ…正極タブ、１５…負極、１５ｂ…負極タブ、１７ａ…第１の折り曲げ部、１７ｂ…第２の折り曲げ部、１８ａ…第１の延設部、１８ｂ…第２の延設部、２１…正極端子、２２…負極端子、２４…正極導電部材、２５…負極導電部材。
【図１】
0006274034.tif 000002
【図２】
0006274034.tif 000003
【図３】
0006274034.tif 000004
【図４】
0006274034.tif 000005
【図５】
0006274034.tif 000006
【図６】
0006274034.tif 000007
【図７】
0006274034.tif 000008